(57)【要約】【課題】本発明は、背面プレートや陳列什器のフレームのいずれに適用しても、それからの突出長さに変化が生じないようにすることを課題とした。【解決手段】発明１の陳列用具は、前記保持構造は、前記横バーの上下ピッチの２倍以上の整数倍（Ｎ）で、Ｎ±０．５未満の長さを有する前側辺と前記フレームの幅と同じ長さの上辺と、前記フレームの高さと同じか短い長さを有する後側辺と前記各辺以外は開放されてなるフレーム用凹部が左右の辺に形成されており、前記フレーム用凹部の上辺には、前記横バーを入れるバー用凹部が、その前側辺を前記フレーム用凹部の前側辺と連続して設けてあることを特徴とする。【選択図】図２
2008229303.tif 000002
【特許請求の範囲】
【請求項１】
横バーが上下に等間隔で配置されてなる背面プレート又は陳列什器のフレームに保持する保持構造を有する陳列用具であって、前記保持構造は、前記横バーの上下ピッチの２倍以上の整数倍（Ｎ）で、Ｎ＋０．５未満の長さを有する前側辺と前記フレームの幅と同じ長さの上辺と、前記フレームの高さと同じか短い長さを有する後側辺と前記各辺以外は開放されてなるフレーム用凹部が左右の辺に形成されており、前記フレーム用凹部の上辺には、前記横バーを入れるバー用凹部が、その前側辺を前記フレーム用凹部の前側辺と連続して設けてあることを特徴とする陳列用具
【請求項２】
請求項１に記載の陳列用具において、前記バー用凹部の後側辺は、上方ほど前側に向かい、その幅が狭くなるように傾斜させてあることを特徴とする陳列用具
【請求項３】
請求項１又は２に記載の陳列用具において、吊り下げようのバーと前記保持構造よりなることを特徴とする陳列用具。
【発明の詳細な説明】
【技術分野】
【０００１】  本発明は、横バーが上下に等間隔で配置されてなる背面パネル又は陳列什器のフレームに保持する保持構造を有する陳列用具に関し、より詳しくは、前記プレートとフレームの何れにも適用可能な陳列用具に関する。
【背景技術】
【０００２】  従来は、非特許文献１に示してあるように、陳列什器のフレームに保持させる保持構造と横バーに保持させる保持構造とが前後に配置することにより、何れに対しても保持できる陳列用具が知られていた。【０００３】  しかし、このような構造では、フレームに対する場合とパネルに対する場合とで、陳列用具の突出長さが変化し、陳列の一体性を損なう問題が生じていた。
【非特許文献１】意匠登録第意匠登録１２２１９５６号公報
【発明の開示】
【０００４】  本発明はこのような問題に対し、極めて有効に対処したものである。
【発明が解決しようとする課題】
【０００５】  本発明は、この問題を解決し、背面プレートや陳列什器のフレームのいずれに適用しても、それからの突出長さに変化が生じないようにすることを課題とした。
【課題を解決するための手段】
【０００６】  発明１の陳列用具は、前記保持構造は、前記横バーの上下ピッチの２倍以上の整数倍（Ｎ）で、Ｎ±０．５未満の長さを有する前側辺と前記フレームの幅と同じ長さの上辺と、前記フレームの高さと同じか短い長さを有する後側辺と前記各辺以外は開放されてなるフレーム用凹部が左右の辺に形成されており、前記フレーム用凹部の上辺には、前記横バーを入れるバー用凹部が、その前側辺を前記フレーム用凹部の前側辺と連続して設けてあることを特徴とする。
【０００７】  発明２は、発明１の陳列用具において、前記バー用凹部の後側辺は、上方ほど前側に向かい、その幅が狭くなるように傾斜させてあることを特徴とする。
【０００８】  発明３は、発明１又は２の陳列用具において、吊り下げ用のバーと前記保持構造よりなることを特徴とする。
【発明の効果】
【０００９】  本発明は、このようにすることで、パネルとプレートの保持時の前面が、絶えず前側辺に当たることとなり、これを基点に前方に突出することとなるので、突出長さはいずれの場合にも変化しない。
また、発明２のようにすることで、バーの太さが異なるパネルに対しても、同様な突出長さを維持することができた。
【発明を実施するための最良の形態】
【００１０】  以下に、本発明の最良の実施形態を例示するが、本発明はこれによって限定されるものではない。
【実施例１】
【００１１】  以下に本発明の実施例を図面を参照して説明する。
（１）は保持構造を構成するコの字金具であって、左右の片（１１）（１１）とこれを結ぶ前面片（１０）とにより平面視コの字状に形成してある。この金具は図１に示すように加工した鉄板を点線で示す箇所で折り曲げてコの字状に形成したものである。
左右片（１１）には、フレーム用凹部（１２）とバー用凹部（１６）が形成してある。【００１２】  前記フレーム用凹部（１２）は、陳列用什器のフレーム（３）の幅（Ｗ）と同様な長さ（Ｌ）を有した上辺（１４）と、背面プレートを構成する横バー（４）の上下間隔（Ｐ）の２倍以上の整数倍（Ｎ）で、かつＮ±０．５未満）の長さ（Ｈ）の前側辺（１３）と、前記フレーム（３）の高さと同じかそれより短い後側辺（１５）により形成してある。
なお、その他の箇所は後方及び下方に開放してある。【００１３】  このようにして、下方後方からフレーム（３）を入れ込みフレーム用凹部（１２）の上部に嵌め込むことにより、フレーム（３）に確実に保持しえるようにしてある。
なお、このとき、フレーム（３）からの前方への突出長さは、前側辺（１３）から前方の長さである。【００１４】  前記バー用凹部（１６）は、前記上辺（１４）の前方角から上方に伸ばした凹部であって、その下部開口部の幅は、この種パネルに一般的に使用される横バーの内に最大太さに合わせてある。
また、この凹部（１６）の上半部の後側辺（１７）は、上方ほど前に向くように傾斜させてあり、その上端での幅は、この種パネルに一般的に使用される横バーの内に最小太さに合わせてある。【００１５】  このようにして、両凹部（１２）（１６）の前側辺を連続させるとともに、バーの太さが変わっても、絶えず前側辺にパネルの前面が当たるようにしてある。
また、前側辺（１３）の長さ（Ｈ）を上記のように設定することで、少なくとも上下に位置する２本以上のバー（４）をこの前側辺にあって保持して、安定してパネルに取り付けることができるようになった。【００１６】  なお、前側辺（１３）の下端に後方に突出させた突起（１８）は、フレーム（３）に保持したときに、パネルの上部バー（４）にあたって、後方へ向かうモーメントを打ち消すためのものである。
なお、この突起（１８）位置がバーに当たらない場合を想定した場合は、後側辺（１５）の長さを、フレーム（３）の高さに近づけるように長い目に設定しておけばより好ましい。
【実施例２】
【００１７】  本実施例は、一枚の鉄板を屈曲させて、保持構造（１ａ）の両凹部（１２ａ）（１６ａ）を形成した例である。【００１８】前記フレーム用凹部（１２ａ）は、陳列用什器のフレーム（３）の幅（Ｗ）と同様な長さ（Ｌ）を有した上辺（１４ａ）と、背面プレートを構成する横バー（４）の上下間隔（Ｐ）の２倍以上の整数倍であって、かつ、Ｎ±０．５未満の長さ（Ｈ）の前側辺（１３ａ）と、前記フレーム（３）の高さと同じかそれより短い後側辺（１５ａ）により形成してある。
なお、その他の箇所は後方及び下方に開放してある。【００１９】  このようにして、下方後方からフレーム（３）を入れ込みフレーム用凹部（１２ａ）の上部に嵌め込むことにより、フレーム（３）に確実に保持しえるようにしてある。
なお、このとき、フレーム（３）からの前方への突出長さは、前側辺（１３ａ）から前方の長さである。【００２０】  前記バー用凹部（１６ａ）は、前記上辺（１４ａ）の前方角から上方に伸ばした凹部であって、その下部開口部の幅は、この種パネルに一般的に使用される横バーの内に最大太さに合わせてある。
また、この凹部（１６ａ）の上半部の後側辺（１７ａ）は、上方ほど前に向くように傾斜させてあり、その上端での幅は、この種パネルに一般的に使用される横バーの内に最小太さに合わせてある。【００２１】  このようにして、両凹部（１２ａ）（１６ａ）の前側辺を連続させるとともに、バーの太さが変わっても、絶えず前側辺にパネルの前面が当たるようにしてある。
また、前側辺（１３ａ）の長さ（Ｈ）を上記のように設定することで、少なくとも上下に位置する２本以上のバー（４）をこの前側辺にあって保持して、安定してパネルに取り付けることができるようになった。【００２２】  なお、前側辺（１３ａ）の下端に後方に突出させた突起（１８ａ）は、フレーム（３）に保持したときに、パネルの上部バー（４）にあたって、後方へ向かうモーメントを打ち消すためのものである。
なお、この突起（１８ａ）位置がバーに当たらない場合を想定した場合は、後側辺（１５ａ）の長さを、フレーム（３）の高さに近づけるように長い目に設定しておけばより好ましい。
【実施例３】
【００２３】  本実施例は、プラスチックあるいは木材などのブロックを加工して、保持構造（１ｂ）の両凹部（１２ｂ）（１６ｂ）を形成した例である。【００２４】  前記フレーム用凹部（１２ｂ）は、陳列用什器のフレーム（３）の幅（Ｗ）と同様な長さ（Ｌ）を有した上辺（１４ｂ）と、背面プレートを構成する横バー（４）の上下間隔（Ｐ）の２倍以上の整数倍（Ｎ）であって、かつＮ±０．５未満）の長さ（Ｈ）の前側辺（１３ｂ）と、前記フレーム（３）の高さと同じかそれより短い後側辺（１５ｂ）により形成してある。
なお、その他の箇所は後方及び下方に開放してある。【００２５】  このようにして、下方後方からフレーム（３）を入れ込みフレーム用凹部（１２ｂ）の上部に嵌め込むことにより、フレーム（３）に確実に保持しえるようにしてある。
なお、このとき、フレーム（３）からの前方への突出長さは、前側辺（１３ｂ）から前方の長さである。【００２６】  前記バー用凹部（１６ｂ）は、前記上辺（１４ｂ）の前方角から上方に伸ばした凹部であって、その下部開口部の幅は、この種パネルに一般的に使用される横バーの内に最大太さに合わせてある。
また、この凹部（１６ｂ）の上半部の後側辺（１７ｂ）は、上方ほど前に向くように傾斜させてあり、その上端での幅は、この種パネルに一般的に使用される横バーの内に最小太さに合わせてある。【００２７】  このようにして、両凹部（１２ｂ）（１６ｂ）の前側辺を連続させるとともに、バーの太さが変わっても、絶えず前側辺にパネルの前面が当たるようにしてある。
また、前側辺（１３ａ）の長さ（Ｈ）を上記のように設定することで、少なくとも上下に位置する２本以上のバー（４）をこの前側辺にあって保持して、安定してパネルに取り付けることができるようになった。【００２８】  なお、前側辺（１３ｂ）の下端に後方に突出させた突起（１８ｂ）は、フレーム（３）に保持したときに、パネルの上部バー（４）にあたって、後方へ向かうモーメントを打ち消すためのものである。
なお、この突起（１８ｂ）位置がバーに当たらない場合を想定した場合は、後側辺（１５ｂ）の長さを、フレーム（３）の高さに近づけるように長い目に設定しておけばより好ましい。【００２９】  前記各実施例では、吊り下げバー（２）を保持する陳列用具の例を示したが、これに変わり、陳列用の籠、トレー等を保持構造の前面に一体固定したものも同様に適用できるものである。
【産業上の利用可能性】
【００３０】  本発明は、各種の商品陳列において、その美観を向上する上で有効に使用できるものである。
【図面の簡単な説明】
【００３１】
【図１】実施例１を構成するための鉄板の展開正面図。
【図２】実施例１のフレームへの保持状態を示す斜視図
【図３】実施例１のパネルへの保持状態を示す斜視図
【図４】実施例１を示す右側面図
【図５】実施例１を示す平面図
【図７】実施例２を示す斜視図
【図６】実施例１を示す底面図
【図８】実施例３を示す斜視図
【符号の説明】
【００３２】（１）保持構造
（２）吊り下げバー
（３）フレーム
（４）パネルのバー
（１０）前面片
（１１）左右片
（１２）（１２ａ）（１２ｂ）フレーム用凹部
（１３）（１３ａ）（１３ｂ）前側辺
（１４）（１４ａ）（１４ｂ）上辺
（１５）（１５ａ）（１５ｂ）後側辺
（１６）（１６ａ）（１６ｂ）バー用凹部
（１７）（１７ａ）（１７ｂ）上半部の後側辺
（１８）（１８ａ）（１８ｂ）突起
（Ｗ）陳列用什器のフレームの幅
（Ｌ）上辺の長さ
（Ｐ）パネルの横バーの上下間隔
（Ｈ）前側辺の長さ
【図１】
2008229303.tif 000003
【図２】
2008229303.tif 000004
【図３】
2008229303.tif 000005
【図４】
2008229303.tif 000006
【図５】
2008229303.tif 000007
【図６】
2008229303.tif 000008
【図７】
2008229303.tif 000009
【図８】
2008229303.tif 000010